(57)【特許請求の範囲】
【請求項１】
飲食店の情報処理システムであって、
設定部と、管理部と、入力部と、第１の出力部と、第２の出力部と、を有し、
前記設定部は、勘定項目を設定し、
前記勘定項目は、第１の項目と、第２の項目と、第３の項目と、を含み、
前記第２の項目は、会計システムの勘定項目に対応する項目であり、
前記第１の項目は、前記第２の項目より粒度の粗い勘定項目であり、
前記第３の項目は、前記第２の項目より粒度の細かい勘定項目であり、
前記管理部は、前記第３の項目に対応付けてデータを管理し、
前記第１の項目と、前記第２の項目と、前記第３の項目とは関連付けられており、
前記入力部は、レジスター装置より前記第３の項目で入力されたデータを前記管理部に入力し、
前記第１の出力部は、要求に応じて、前記第１の項目に基づき前記管理部よりデータを取得し、前記飲食店の店長の端末装置のＷｅｂブラウザに出力し、
前記第２の出力部は、要求に応じて、前記第２の項目に基づき前記管理部よりデータを取得し、前記会計システムに出力する、
情報処理システム。
【請求項２】
請求項１に記載の情報処理システムにおいて、
前記設定部は、ユーザ操作に基づいて、前記勘定項目の前記第１の項目を設定する、
情報処理システム。
【請求項３】
請求項１又は請求項２に記載の情報処理システムにおいて、
前記設定部は、前記会計システムより情報を取得し、取得した情報に基づいて、前記勘定項目の前記第２の項目を設定する、
情報処理システム。
【請求項４】
飲食店の情報処理装置であって、
設定部と、管理部と、入力部と、第１の出力部と、第２の出力部と、を有し、
前記設定部は、勘定項目を設定し、
前記勘定項目は、第１の項目と、第２の項目と、第３の項目と、を含み、
前記第２の項目は、会計システムの勘定項目に対応する項目であり、
前記第１の項目は、前記第２の項目より粒度の粗い勘定項目であり、
前記第３の項目は、前記第２の項目より粒度の細かい勘定項目であり、
前記管理部は、前記第３の項目に対応付けてデータを管理し、
前記第１の項目と、前記第２の項目と、前記第３の項目とは関連付けられており、
前記入力部は、レジスター装置より前記第３の項目で入力されたデータを前記管理部に入力前記第３の項目で入力されたデータを前記管理部に入力し、
前記第１の出力部は、要求に応じて、前記第１の項目に基づき前記管理部よりデータを取得し、前記飲食店の店長の端末装置のWebブラウザに出力し、
前記第２の出力部は、要求に応じて、前記第２の項目に基づき前記管理部よりデータを取得し、前記会計システムに出力する、
情報処理装置。
【請求項５】
飲食店の情報処理システムが実行する情報処理方法であって、
設定工程と、入力工程と、第１の出力工程と、第２の出力工程と、を含み、
前記情報処理システムは、管理部を有し、
前記設定工程では、勘定項目を設定し、
前記勘定項目は、第１の項目と、第２の項目と、第３の項目と、を含み、
前記第２の項目は、会計システムの勘定項目に対応する項目であり、
前記第１の項目は、前記第２の項目より粒度の粗い勘定項目であり、
前記第３の項目は、前記第２の項目より粒度の細かい勘定項目であり、
前記管理部は、前記第３の項目に対応付けてデータを管理し、
前記第１の項目と、前記第２の項目と、前記第３の項目とは関連付けられており、
前記入力工程では、レジスター装置より前記第３の項目で入力されたデータを前記管理部に入力前記第３の項目で入力されたデータを前記管理部に入力し、
前記第１の出力工程では、要求に応じて、前記第１の項目に基づき前記管理部よりデータを取得し、前記飲食店の店長の端末装置のWebブラウザに出力し、
前記第２の出力工程では、要求に応じて、前記第２の項目に基づき前記管理部よりデータを取得し、前記会計システムに出力する、
情報処理方法。
【請求項６】
プログラムであって、コンピュータを、請求項４に記載の情報処理装置の各部として機能させるためのプログラム。
【発明の詳細な説明】
【技術分野】
【０００１】
本発明は、情報処理システム、情報処理装置、情報処理方法及びプログラムに関する。
【背景技術】
【０００２】
特許文献１には、複数の取引それぞれを、取引内容の記載に基づいて特定の勘定項目に自動的に仕分ける会計処理装置が開示されている。
【先行技術文献】
【特許文献】
【０００３】
【特許文献１】特開２０１６−０２１１４７号公報
【発明の概要】
【発明が解決しようとする課題】
【０００４】
会計ソフトに合わせた勘定項目では、飲食店におけるアルバイト等の従業員がデータを入力する際にどの勘定項目にデータを入れればよいのかよく分からない場合がある。また、会計ソフトに合わせた勘定項目では、飲食店の店長等の管理職が見たいデータの項目とは異なる場合がある。
【課題を解決するための手段】
【０００５】
本発明の一態様によれば、飲食店の情報処理システムであって、設定部と、管理部と、入力部と、第１の出力部と、を有し、前記設定部は、勘定項目を設定し、前記勘定項目は、第１の項目と、第２の項目と、第３の項目と、を含み、前記第２の項目は、外部システムの勘定項目に対応する項目であり、前記第１の項目は、前記第２の項目より粒度の粗い勘定項目であり、前記第３の項目は、前記第２の項目より粒度の細かい勘定項目であり、前記管理部は、前記勘定項目のデータを管理し、前記入力部は、前記第３の項目で入力されたデータを前記管理部に入力し、前記第１の出力部は、要求に応じて、前記第１の項目でデータを前記管理部より取得し、出力する、情報処理システムが提供される。
【図面の簡単な説明】
【０００６】
【図１】図１は、情報処理システム１０００のシステム構成の一例を示す図である。
【図２】図２は、サーバ装置１００のハードウェア構成の一例を示す図である。
【図３】図３は、レジスター装置１１０のハードウェア構成の一例を示す図である。
【図４】図４は、ＰＣ１２０のハードウェア構成の一例を示す図である。
【図５】図５は、サーバ装置１００の機能構成の一例を示す図である。
【図６】図６は、設定項目を説明する図である。
【図７】図７は、サーバ装置１００における情報処理の一例を示すアクティビティ図である。
【発明を実施するための形態】
【０００７】
以下、図面を用いて本発明の実施形態について説明する。以下に示す実施形態中で示した各種特徴事項は、互いに組み合わせ可能である。
【０００８】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【０００９】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１０】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１１】
＜実施形態１＞
１．システム構成
図１は、情報処理システム１０００のシステム構成の一例を示す図である。情報処理システム１０００は、システム構成として、サーバ装置１００と、レジスター装置１１０と、ＰＣ（Ｐｅｒｓｏｎａｌ  Ｃｏｍｐｕｔｅｒ）１２０と、会計システム１４０と、を含む。サーバ装置１００は、飲食店に対して各種サービスを提供する。レジスター装置１１０は、商品等の販売額を計算、記録する機器である。飲食店１３０の従業員は、レジスター装置１１０を用いて、飲食店１３０の商品の販売額のデータ等を入力する。ＰＣ１２０は、飲食店１３０の店長等の管理者が使用する装置であり、後述する勘定グループのデータを確認するための装置である。ＰＣは一例であって、勘定グループのデータを確認することができればどのような装置であってもよい。例えば、ＰＣ１２０の替わりに、スマートフォンであってもよいし、ウェアラブルデバイスであってもよい。会計システム１４０は、後述する一般勘定項目のデータに基づき会計処理を行うシステムである。レジスター装置１１０、ＰＣ１２０、サーバ装置１００、会計システム１４０は、ネットワーク１５０を介して通信可能に接続されている。
【００１２】
２．ハードウェア構成
（１）サーバ装置１００のハードウェア構成
図２は、サーバ装置１００のハードウェア構成の一例を示す図である。サーバ装置１００は、ハードウェア構成として、制御部２０１と、記憶部２０２と、通信部２０３と、を含む。制御部２０１は、サーバ装置１００の全体を制御する。記憶部２０２は、プログラム及び制御部２０１がプログラムに基づき処理を実行する際に用いるデータ等を記憶する。制御部２０１が、記憶部２０２に記憶されたプログラムに基づき処理を実行することによって後述する図５に示す機能構成及び後述する図７に示すアクティビティ図の情報処理が実現される。通信部２０３は、サーバ装置１００と他の装置との通信を司る。他の装置としては、例えば、レジスター装置１１０、ＰＣ１２０等がある。
【００１３】
（２）レジスター装置１１０のハードウェア構成
図３は、レジスター装置１１０のハードウェア構成の一例を示す図である。レジスター装置１１０は、ハードウェア構成として、制御部３０１と、記憶部３０２と、入力部３０３と、表示部３０４と、通信部３０５と、を含む。制御部３０１は、レジスター装置１１０の全体を制御する。記憶部３０２は、プログラム及び制御部３０１がプログラムに基づき処理を実行する際に用いるデータ等を記憶する。制御部３０１が、記憶部３０２に記憶されたプログラムに基づき処理を実行することによってレジスター装置１１０の機能が実現される。入力部３０３は、ユーザの操作に応じて操作情報を制御部３０１に入力する。表示部３０４は、入力部３０３によって入力された入力結果、制御部３０１によって処理された処理結果等を表示する。
【００１４】
（３）ＰＣ１２０のハードウェア構成
図４は、ＰＣ１２０のハードウェア構成の一例を示す図である。ＰＣ１２０は、ハードウェア構成として、制御部４０１と、記憶部４０２と、入力部４０３と、表示部４０４と、通信部４０５と、を含む。制御部４０１は、ＰＣ１２０の全体を制御する。記憶部４０２は、プログラム及び制御部４０１がプログラムに基づき処理を実行する際に用いるデータ等を記憶する。制御部４０１が、記憶部４０２に記憶されたプログラムに基づき処理を実行することによってＰＣ１２０の機能が実現される。入力部４０３は、ユーザの操作に応じて操作情報を制御部４０１に入力する。表示部４０４は、入力部４０３によって入力された入力結果、制御部４０１によって処理された処理結果等を表示する。
【００１５】
３．機能構成
図５は、サーバ装置１００の機能構成の一例を示す図である。サーバ装置１００は、機能構成として、設定部５０１と、管理部５０２と、入力部５０３と、第１の出力部５０４と、第２の出力部５０５と、を含む。
【００１６】
（設定部５０１）
設定部５０１は、勘定項目を設定する。ここで、図６は、設定項目を説明する図である。設定項目には、勘定グループ６０１と、一般勘定項目６０２と、勘定項目６０３と、が含まれる。勘定グループ６０１の項目は、第１の項目の一例である。一般勘定項目６０２の項目は、第２の項目の一例である。勘定項目６０３の項目は、第３の項目の一例である。一般勘定項目６０２の項目は、会計システム１４０に対応する項目である。会計システム１４０は、外部システムの一例である。設定部５０１は、会計システム１４０から対応する勘定項目の情報を取得し、取得した情報に基づき一般勘定項目６０２の項目を設定、変更してもよいし、外部装置等を介したユーザ操作に基づき一般勘定項目６０２の項目を設定、変更してもよい。外部装置とは、例えば、例えば、レジスター装置１１０、ＰＣ１２０等である。
【００１７】
勘定グループ６０１の項目は、一般勘定項目６０２の項目より粒度の粗い勘定項目であり、飲食店の店長等の管理職が見たいデータの項目である。設定部５０１は、外部装置等を介したユーザ操作に基づき勘定グループ６０１の項目を設定、変更する。勘定項目６０３の項目は、一般勘定項目６０２の項目より粒度の細かい勘定項目であり、飲食店におけるアルバイト等の従業員がデータを入力する際の項目である。設定部５０１は、外部装置等を介したユーザ操作に基づき勘定科目６０３の項目を設定、変更する。
【００１８】
（管理部５０２）
管理部５０２は、勘定項目のデータを記憶部２０２等に記憶し、管理する。管理部５０２は、後述する入力部５０３から入力されたデータを、勘定項目６０３の項目に対応付けて管理する。すなわち、管理部５０２は、一番粒度の細かい勘定項目に対応付けてデータを管理する。
【００１９】
（入力部５０３）
入力部５０３は、外部装置を介して勘定項目６０３の項目で入力されたデータを勘定項目に対応付けて管理部５０２に入力する。入力部５０３は、外部装置を介した入力操作等に基づいて、食材仕入れ、ドリンク仕入れ、物販仕入れ、社員人件費、アルバイト人件費、給料、賞与、通勤交通費、旅行交通費、福利厚生費等の項目ごとに項目に対応する費用をデータとして管理部５０２に入力する。各項目のデータは、例えば、入力部５０３によって毎日入力され、１ヶ月ごとに、管理部５０２等で集計される。他の例としては、集計された各項目のデータを入力部５０３が１ヶ月ごとに入力するようにしてもよい。外部装置とは、例えば、レジスター装置１１０、ＰＣ１２０等である。すなわち、外部装置がレジスター装置１１０の場合、入力部５０３は、レジスター装置１１０より入力された勘定科目６０３の項目のデータを管理部５０２に入力する。また、外部装置がＰＣ１２０の場合、入力部５０３は、ＰＣ１２０のブラウザから閲覧できるレジの管理画面より入力された勘定項目６０３の項目のデータを管理部５０２に入力する。
【００２０】
（第１の出力部５０４）
第１の出力部５０４は、要求に応じて、勘定グループ６０１の項目でデータを管理部５０２より取得し、出力する。より具体的に説明すると、第１の出力部５０４は、要求に応じて、勘定グループ６０１の項目「仕入れ」のデータとして、勘定科目６０３の項目「食材仕入れ」、「ドリンク仕入れ」、「物販仕入れ」のデータを合計して出力する。同様に、第１の出力部５０４は、勘定グループ６０１の項目「人件費」のデータとして、勘定科目６０３の項目「社員人件費」、「アルバイト人件費」、「給料」、「賞与」、「通勤交通費」、「旅行交通費」、「福利厚生費」のデータを合計して出力する。また、第１の出力部５０４は、要求に応じて、勘定グループ６０１の項目でデータを、端末装置のＷｅｂブラウザに出力する。ここで、端末装置とは、例えば、ＰＣ１２０、飲食店の店長等のスマートフォン等である。
【００２１】
サーバ装置１００が、設定部５０１と、管理部５０２と、入力部５０３と、第１の出力部５０４と、を有することにより、飲食店におけるアルバイト等の従業員がデータを入力する際にどの勘定項目にデータを入力すればよいのか迷う必要はなく、そのまま入力することができる。また、飲食店の店長等の管理職は、入力されたデータを入力する際の勘定項目、会計システム１４０に合わせた勘定項目ではなく、管理者が見たい勘定項目でデータを確認することができる。
【００２２】
（第２の出力部５０５）
第２の出力部５０５は、要求に応じて、一般勘定科目６０２の項目でデータを管理部５０２より取得し、会計システム１４０に出力する。より具体的に説明すると、第２の出力部５０５は、要求に応じて、管理部５０２の項目「給料手当」のデータとして、勘定科目６０３の項目「社員人件費」、「アルバイト人件費」、「給料」のデータを合計して出力する。会計システム１４０は、外部システムの一例である。
サーバ装置１００が、第２の出力部５０５を有することにより、会計システム１４０に対応する勘定項目でデータを、会計システム１４０に提供することができる。
【００２３】
４．情報処理
図７は、サーバ装置１００における情報処理の一例を示すアクティビティ図である。
Ａ７０１において、設定部５０１は、例えば、外部装置等から、勘定項目の設定要求を受信したか否かを判定する。設定部５０１は、勘定項目の設定要求を受信したと判定すると、処理をＡ７０２に進める。設定部５０１は、勘定項目の設定要求を受信していないと判定すると、Ａ７０１の処理を繰り返す。
Ａ７０２において、設定部５０１は、設定要求に基づき、指定された勘定項目、例えば、勘定グループ６０１の項目に一般勘定項目６０２のどの項目を含ませるか等、勘定項目を設定する。
勘定項目の変更も勘定項目の設定と同様である。
【００２４】
Ａ７０３において、入力部５０３は、例えば、外部装置等から、データの入力要求を受信したか否かを判定する。入力部５０３は、データの入力要求を受信したと判定すると、処理をＡ７０４に進める。入力部５０３は、データの入力要求を受信していないと判定すると、Ａ７０３の処理を繰り返す。
Ａ７０４において、入力部５０３は、入力要求に基づき、勘定項目６０３の項目で入力されたデータを勘定項目に対応付けて管理部５０２に入力する。
【００２５】
Ａ７０５において、第１の出力部５０４は、例えば、端末装置等からデータの出力要求を受信したか否かを判定する。第１の出力部５０４は、データの出力要求を受信したと判定すると、処理をＡ７０６に進める。第１の出力部５０４は、データの出力要求を受信していないと判定すると、Ａ７０５の処理を繰り返す。
Ａ７０６において、第１の出力部５０４は、要求に応じて、勘定グループ６０１の項目でデータを管理部５０２より取得し、出力する。
【００２６】
Ａ７０７において、第２の出力部５０５は、例えば、会計システム１４０等からデータの出力要求を受信したか否かを判定する。第２の出力部５０５は、データの出力要求を受信したと判定すると、処理をＡ７０８に進める。第２の出力部５０５は、データの出力要求を受信していないと判定すると、Ａ７０８の処理を繰り返す。
Ａ７０８において、第２の出力部５０５は、要求に応じて、一般勘定科目６０２の項目でデータを管理部５０２より取得し、会計システム１４０に出力する。
【００２７】
Ａ７０９において、制御部２０１は、処理を終了するか否かを判定する。制御部２０１は、処理を終了すると判定した場合、情報処理を終了する。制御部２０１は、処理を終了しないと判定した場合、処理をＡ７０１に戻す。
【００２８】
実施形態１によれば、飲食店におけるアルバイト等の従業員がデータを入力する際にどの勘定項目にデータを入力すればよいのか迷う必要はなく、そのまま入力することができる。また、飲食店の店長等の管理職は、入力されたデータを入力する際の勘定項目、会計システム１４０に合わせた勘定項目ではなく、管理者が見たい、有用な勘定項目でデータを確認することができる。また、会計システム１４０に対応する勘定項目でデータを、会計システム１４０に提供することができる。
【００２９】
＜変形例＞
上述した実施形態等では、１台のサーバ装置１００が処理を行うものとして説明を行った。但し、複数のサーバ装置から構成されるいわゆるクラウドシステムが上述したサーバ装置１００の替わりに処理を実行してもよい。この場合、それぞれのサーバ装置の制御部がそれぞれのサーバ装置の記憶部に記憶されたプログラムに基づき処理を実行することによって上述したサーバ装置１００の機能が実現される。クラウドシステムは、情報処理システムの一例である。また、上述したサーバ装置１００の機能の一部を他の装置、例えばレジスター装置１１０等が担うようにしてもよい。
また、サーバ装置１００の替わりに、レジスター装置１１０が上述したサーバ装置１００の機能を有し、処理を実行するようにしてもよい。
【００３０】
次に記載の各態様で提供されてもよい。
前記情報処理システムにおいて、第２の出力部を有し、前記第２の出力部は、要求に応じて、前記第２の項目でデータを前記管理部より取得し、前記外部システムに出力する、情報処理システム。
前記情報処理システムにおいて、前記外部システムは、会計システムである、情報処理システム。
前記情報処理システムにおいて、前記第１の出力部は、要求に応じて、前記第１の項目でデータを、端末装置のＷｅｂブラウザに出力する、情報処理システム。
前記情報処理システムにおいて、前記設定部は、ユーザ操作に基づいて、前記勘定項目の前記第１の項目を設定する、情報処理システム。
前記情報処理システムにおいて、前記入力部は、レジスター装置より前記第３の項目で入力されたデータを前記管理部に入力する、情報処理システム。
飲食店の情報処理装置であって、設定部と、管理部と、入力部と、出力部と、を有し、前記設定部は、勘定項目を設定し、前記勘定項目は、第１の項目と、第２の項目と、第３の項目と、を含み、前記第２の項目は、外部システムの勘定項目に対応する項目であり、前記第１の項目は、前記第２の項目より粒度の粗い勘定項目であり、前記第３の項目は、前記第２の項目より粒度の細かい勘定項目であり、前記管理部は、前記勘定項目のデータを管理し、前記入力部は、前記第３の項目で入力されたデータを前記管理部に入力し、前記出力部は、要求に応じて、前記第１の項目でデータを前記管理部より取得し、出力する、情報処理装置。
情報処理システムが実行する情報処理方法であって、設定工程と、管理工程と、入力工程と、出力工程と、を含み、前記設定工程では、勘定項目を設定し、前記勘定項目は、第１の項目と、第２の項目と、第３の項目と、を含み、前記第２の項目は、外部システムの勘定項目に対応する項目であり、前記第１の項目は、前記第２の項目より粒度の粗い勘定項目であり、前記第３の項目は、前記第２の項目より粒度の細かい勘定項目であり、前記管理工程では、前記勘定項目のデータを管理し、前記入力工程では、前記第３の項目で入力されたデータを前記管理部に入力し、前記出力工程では、要求に応じて、前記第１の項目でデータを前記管理部より取得し、出力する、情報処理方法。
プログラムであって、コンピュータを、前記情報処理装置の各部として機能させるためのプログラム。
もちろん、この限りではない。
【００３１】
例えば、上述のプログラムを記憶する、コンピュータ読み取り可能な非一時的な記憶媒体として提供してもよい。
また、上述した実施形態及び変形例を任意に組み合わせて実施するようにしてもよい。
【００３２】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれると共に、特許請求の範囲に記載された発明とその均等の範囲に含まれるものである。
【符号の説明】
【００３３】
１００    ：サーバ装置
１１０    ：レジスター装置
１３０    ：飲食店
１４０    ：会計システム
１５０    ：ネットワーク
２０１    ：制御部
２０２    ：記憶部
２０３    ：通信部
３０１    ：制御部
３０２    ：記憶部
３０３    ：入力部
３０４    ：表示部
３０５    ：通信部
４０１    ：制御部
４０２    ：記憶部
４０３    ：入力部
４０４    ：表示部
４０５    ：通信部
５０１    ：設定部
５０２    ：管理部
５０３    ：入力部
５０４    ：第１の出力部
５０５    ：第２の出力部
６０１    ：勘定グループ
６０２    ：一般勘定項目
６０３    ：勘定項目
１０００  ：情報処理システム
【要約】      （修正有）【課題】飲食店の従業員の利用に適した情報処理システム、情報処理装置、情報処理方法及びプログラムを提供する。【解決手段】飲食店の情報処理システムにおいて、サーバ装置１００は、設定部と、管理部と、入力部と、第１の出力部と、を有する。設定部は、勘定項目を設定し、勘定項目は、第１の項目と、第２の項目と、第３の項目と、を含む。第２の項目は、外部システムの勘定項目に対応する項目であり、第１の項目は、第２の項目より粒度の粗い勘定項目であり、第３の項目は、第２の項目より粒度の細かい勘定項目である。管理部は、勘定項目のデータを管理する。入力部は、第３の項目で入力されたデータを管理部に入力する。第１の出力部は、要求に応じて、第１の項目でデータを管理部より取得し、出力する。【選択図】図５【図１】
0006860893.tif 000002
【図２】
0006860893.tif 000003
【図３】
0006860893.tif 000004
【図４】
0006860893.tif 000005
【図５】
0006860893.tif 000006
【図６】
0006860893.tif 000007
【図７】
0006860893.tif 000008